【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
一時的ドメイン会員資格を許可する方法であって、
ドメインの会員でない第１デバイスが一時的に前記ドメインに加入する要求を受け取るステップであって、前記要求が、前記ドメインの会員である第２デバイスによってディジタル署名されており、前記ドメインの会員でないデバイスは、ディジタル権利管理（ＤＲＭ）により保護された前記ドメインに拘束されたコンテンツを一時的ドメイン証明書なしで消費することが許可されず、ＤＲＭにより保護された前記ドメインに拘束されたコンテンツを一時的ドメイン証明書により消費することが許可される、ステップと、
前記要求が有効であるか否かチェックするステップと、
前記要求が有効でない場合、前記要求を拒否するステップと、
前記要求が有効である場合、
前記第１デバイスに前記一時的ドメイン証明書を発生するステップであって、前記一時的ドメイン証明書が、前記第１デバイスが前記ドメインに一時的に加入することを許可する、ステップと、
前記一時的ドメイン証明書を前記第１デバイスに送るステップと、
を含む、方法。
【請求項２】
請求項１記載の方法において、前記要求が有効であるか否かチェックするステップは、
前記第１デバイスの証明書が破棄されているか否かチェックするステップと、
前記要求にディジタル署名した前記第２デバイスからのディジタル署名を検証するステップと、
前記第１デバイスの証明書が破棄されておらず、かつ前記ディジタル署名が検証された場合、前記要求が有効であると判定するステップと、
前記第１デバイスの証明書が破棄されていること、および前記ディジタル署名が検証されていないことの一方または双方である場合、前記要求は有効でないと判定するステップと、
を含む、方法。
【請求項３】
請求項１または２に記載の方法において、前記一時的ドメイン証明書は、前記第１デバイスが会員になっている第２ドメインに拘束される、方法。
【請求項４】
請求項１から３のいずれかに記載の方法において、前記一時的ドメイン証明書は、前記第１デバイスに拘束される、方法。
【請求項５】
請求項１から４のいずれかに記載の方法において、前記要求は、前記第１デバイスの公開／秘密鍵対のうち公開鍵を含み、前記方法は、更に、前記第１デバイスに、該第１デバイスの公開鍵によって暗号化された、前記ドメインの公開／秘密鍵対のうちドメイン秘密鍵を送るステップを含む、方法。
【請求項６】
請求項５記載の方法において、前記第１デバイスの公開／秘密鍵対のうち前記公開鍵は、前記要求に含まれたディジタル証明書に含まれており、前記ディジタル証明書は、前記第１デバイスから前記第２デバイスによって受け取られている、方法。
【請求項７】
請求項１から６のいずれかに記載の方法において、前記一時的ドメイン証明書は、前記第１デバイスが前記ドメインに拘束されているコンテンツを消費することができる期間を定めた期限を含む、方法。
【請求項８】
請求項１から７のいずれかに記載の方法において、前記要求を受け取るステップは、前記第１デバイスから前記要求を受け取るステップを含む、方法。
【請求項９】
請求項１から８のいずれかに記載の方法において、前記要求を受け取るステップは、前記第２デバイスから前記要求を受け取るステップを含む、方法。
【請求項１０】
請求項１から９のいずれかに記載の方法であって、更に、
一時的デバイスを前記ドメインに追加することについて、１つ以上の規準をチェックするステップと、
前記１つ以上の規準が満たされた場合にのみ、前記一時的ドメイン証明書を発生し送るステップと、
を含む、方法。
【請求項１１】
請求項１０記載の方法において、前記１つ以上の制約は、任意の一時にどれくらい多くの期限切れでない一時的ドメイン証明書を発行することができるのかについての制約を含む、方法。
【請求項１２】
複数の命令が格納された１つ以上のコンピューター記憶媒体であって、前記命令は、第１デバイスの１つ以上のプロセッサによって実行されると、該１つ以上のプロセッサに、
ドメインの会員でない第２デバイスから、該第２デバイスのディジタル証明書と、ディジタル署名付き一時的ドメイン加入要求に対する要求を受け取らせ、
前記ディジタル証明書が破棄されているか否かチェックさせ、
前記第１デバイスのユーザーが、前記第１デバイスが会員となっている前記ドメインに、前記第２デバイスが一時的に加入することを許可することを承認したか否かチェックさせ、前記ドメインの会員でないデバイスは、前記ドメインに加入することなくディジタル権利管理（ＤＲＭ）により保護されたドメインに拘束されたコンテンツを消費することが許可されず、前記ドメインに一時的に加入したことに応答してＤＲＭにより保護された前記ドメインに拘束されたコンテンツを消費することが許可され、
前記ディジタル証明書が破棄されておらず、前記第１デバイスのユーザーが、前記第２デバイスが前記ドメインに一時的に加入することを許可することを承認した場合、
前記第２デバイスの公開鍵を含む一時的ドメイン加入要求を作成させ、ディジタル署名させ、ＤＲＭにより保護された前記ドメインに拘束された前記コンテンツを一時的に消費することを前記第２デバイスに許可させ、
前記ディジタル署名した一時的ドメイン加入要求を受け取り側に送らせ、
前記ディジタル証明書が破棄されている場合、または前記第１デバイスのユーザーが、前記第２デバイスが前記ドメインに一時的に加入することを許可することを承認していない場合、前記ディジタル署名付き一時的ドメイン加入要求に対する要求を拒否させる、
１つ以上のコンピューター記憶媒体。
【請求項１３】
請求項１２記載の１つ以上のコンピューター記憶媒体において、前記第２デバイスのディジタル証明書は、前記第２デバイスが会員となっている第２ドメインに特定のディジタル証明書である、１つ以上のコンピューター記憶媒体。
【請求項１４】
請求項１２または１３に記載の１つ以上のコンピューター記憶媒体において、前記第２デバイスのディジタル証明書は、前記第２デバイスに特定のディジタル証明書である、１つ以上のコンピューター記憶媒体。
【請求項１５】
請求項１２から１４のいずれかに記載の１つ以上のコンピューター記憶媒体において、前記受け取り側は前記第２デバイスを含む、１つ以上のコンピューター記憶媒体。
【請求項１６】
請求項１２から１５のいずれかに記載の１つ以上のコンピューター記憶媒体において、前記受け取り側は、前記ドメインを管理するドメイン・コントローラーを含む、１つ以上のコンピューター記憶媒体。
【請求項１７】
複数の命令が格納された１つ以上のコンピューター記憶媒体であって、前記命令は、第１デバイスの１つ以上のプロセッサによって実行されると、該１つ以上のプロセッサに、
ドメインの会員である第２デバイスに対し、前記第１デバイスの代わりにディジタル署名した一時的ドメイン加入要求を前記第２デバイスが発生するために、前記ドメインの会員でない前記第１デバイスのディジタル証明書を送らせ、
前記ドメインを管理するドメイン・コントローラーから、前記第１デバイスが一時的に前記ドメインに加入することを許可する一時的ドメイン証明書を受け取らせ、前記ドメインの会員でないデバイスは、ディジタル権利管理（ＤＲＭ）により保護されたドメインに拘束されたコンテンツを一時的ドメイン証明書なしで消費することが許可されず、ＤＲＭにより保護された前記ドメインに拘束されたコンテンツを一時的ドメイン証明書により消費することが許可される、
１つ以上のコンピューター記憶媒体。
【請求項１８】
請求項１７記載の１つ以上のコンピューター記憶媒体において、前記命令は、更に、前記１つ以上のプロセッサに、
前記第２デバイスに前記ディジタル証明書を送ったことに応答して、前記第２デバイスから、前記ディジタル署名付き一時的ドメイン加入要求を受け取らせ、前記ディジタル署名付き一時的ドメイン加入要求が、前記第２デバイスによってディジタル署名されており、
前記ディジタル署名付き一時的ドメイン加入要求を前記ドメイン・コントローラーに送らせ、
前記一時的ドメイン証明書は、前記ディジタル署名付き一時的ドメイン加入要求に応答して、前記ドメイン・コントローラーから受け取られる、１つ以上のコンピューター記憶媒体。
【請求項１９】
請求項１８記載の１つ以上のコンピューター記憶媒体において、前記第１デバイスのディジタル証明書および前記ディジタル署名付き一時的ドメイン加入要求の双方は、前記第１デバイスの公開／秘密鍵対のうち公開鍵を含み、前記命令は、更に、前記１つ以上のプロセッサに、前記ドメインの公開／秘密鍵対のうちドメイン秘密鍵を受け取らせ、前記ドメイン秘密鍵は、前記第１デバイスの公開／秘密鍵対のうち前記公開鍵によって暗号化された、１つ以上のコンピューター記憶媒体。
【請求項２０】
請求項１７から１９のいずれかに記載の１つ以上のコンピューター記憶媒体において、前記第１デバイスのディジタル証明書は、前記第１デバイスが会員になっている第２ドメインのディジタル証明書を含み、前記ドメインおよび前記第２ドメインは２つの異なるドメインである、１つ以上のコンピューター記憶媒体。